(57)【要約】【課題】  画像を面内で均一の光沢感にすることができるインクジェット記録装置を提供すること。【解決手段】  インクジェット記録装置１は、着色インクを吐出する記録ヘッド５〜８と、透明インクを吐出する記録ヘッド９と、記録ヘッド５〜９を制御する制御装置１５と、を備える。制御装置１５は、外部から入力された画像データ（入力階調値）に従って、記録ヘッド５〜８により吐出する単位面積当たりの着色インクの総印字量を決定する。その後、制御装置１５は、単位面積当たりの着色インクの総印字量Ａに対する単位面積当たりの透明インクの印字量Ｂの関係がＢ＝α1・Ａ＋β1（但し、α1＜０、β1＞０）となる関係に従わせて、記録ヘッド９により吐出する単位面積当たりのインク印字量を着色インクの総印字量から決定する。【選択図】  図３
2005199602.tif 000002
【特許請求の範囲】
【請求項１】
光硬化型の着色インクを記録媒体に吐出する着色インク用記録ヘッドと、
光硬化型の透明インクを記録媒体に吐出する透明インク用記録ヘッドと、
前記着色インク用記録ヘッド及び前記透明インク用記録ヘッドを制御する制御装置と、を備え、
前記制御装置は、単位面積当たりの着色インクの印字量Ａが増加するにつれて単位面積当たりの透明インクの印字量Ｂが減少する関係に従わせて、前記透明インク用記録ヘッドにより吐出する単位面積当たりのインク印字量を決定することを特徴とするインクジェット記録装置。
【請求項２】
記録媒体の光沢度を測定する光沢度計を更に備え、
前記制御装置は、単位面積当たりの着色インクの印字量Ａが増加するにつれて単位面積当たりの透明インクの印字量Ｂが減少する関係を、前記光沢度計により測定された光沢度に基づいて決定し、その決定した関係に従わせて、前記透明インク用記録ヘッドにより吐出する単位面積当たりのインク印字量を決定することを特徴とする請求項１に記載のインクジェット記録装置。
【請求項３】
前記制御装置は、単位面積当たりの着色インクの印字量Ａが増加するにつれて単位面積当たりの透明インクの印字量Ｂが減少する関係を、単位面積当たりの着色インクの最大印字量に基づいて決定し、その決定した関係に従わせて、前記透明インク用記録ヘッドにより吐出する単位面積当たりのインク印字量を決定することを特徴とする請求項１に記載のインクジェット記録装置。
【請求項４】
光硬化型の着色インクを記録媒体に吐出する着色インク用記録ヘッドと、
光硬化型の透明インクを記録媒体に吐出する透明インク用記録ヘッドと、
前記着色インク用記録ヘッド及び前記透明インク用記録ヘッドを制御する制御装置と、を備え、
前記制御装置は、単位面積当たりの着色インクの印字量Ａが第１閾値Ａ1以上第２閾値Ａ2以下では単位面積当たりの着色インクの印字量Ａが増加するにつれて単位面積当たりの透明インクの印字量Ｂが増加し、単位面積当たりの着色インクの印字量Ａが第２閾値Ａ2以上第３閾値Ａ3以下では単位面積当たりの着色インクの印字量Ａが増加するにつれて単位面積当たりの透明インクの印字量Ｂが減少する関係に従わせて、前記透明インク用記録ヘッドにより吐出する単位面積当たりの透明インクの印字量を決定することを特徴とするインクジェット記録装置。
【請求項５】
記録媒体の光沢度を測定する光沢度計を更に備え、
前記制御装置は、単位面積当たりの着色インクの印字量Ａが第１閾値Ａ1以上第２閾値Ａ2以下では単位面積当たりの着色インクの印字量Ａが増加するにつれて単位面積当たりの透明インクの印字量Ｂが増加し、単位面積当たりの着色インクの印字量Ａが第２閾値Ａ2以上第３閾値Ａ3以下では単位面積当たりの着色インクの印字量Ａが増加するにつれて単位面積当たりの透明インクの印字量Ｂが減少する関係を、前記光沢度計により測定された光沢度に基づいて決定し、その決定した関係に従わせて、前記透明インク用記録ヘッドにより吐出する単位面積当たりのインク印字量を決定することを特徴とする請求項４に記載のインクジェット記録装置。
【請求項６】
前記制御装置は、単位面積当たりの着色インクの印字量Ａが第１閾値Ａ1以上第２閾値Ａ2以下では単位面積当たりの着色インクの印字量Ａが増加するにつれて単位面積当たりの透明インクの印字量Ｂが増加し、単位面積当たりの着色インクの印字量Ａが第２閾値Ａ2以上第３閾値Ａ3以下では単位面積当たりの着色インクの印字量Ａが増加するにつれて単位面積当たりの透明インクの印字量Ｂが減少する関係を、単位面積当たりの最大印字量に基づいて決定し、その決定した関係に従わせて、前記透明インク用記録ヘッドにより吐出する単位面積当たりのインク印字量を決定することを特徴とする請求項４に記載のインクジェット記録装置。
【請求項７】
光硬化型の着色インクを記録媒体に吐出する着色インク用記録ヘッドと、
光硬化型の透明インクを記録媒体に吐出する透明インク用記録ヘッドと、
前記着色インク用記録ヘッド及び前記透明インク用記録ヘッドを制御する制御装置と、
記録媒体の光沢度を測定する光沢度計と、を備え、
前記制御装置は、
前記光沢度計により測定された光沢度に基づき第１モードか又は第２モードに選択し、
第１モードに選択した場合には、単位面積当たりの着色インクの印字量Ａが増加するにつれて単位面積当たりの透明インクの印字量Ｂが減少する関係に従わせて、前記透明インク用記録ヘッドにより吐出する単位面積当たりのインク印字量を決定し、
第２モードに選択した場合には、単位面積当たりの着色インクの印字量Ａが第１閾値Ａ1以上第２閾値Ａ2以下では単位面積当たりの着色インクの印字量Ａが増加するにつれて単位面積当たりの透明インクの印字量Ｂが増加し、単位面積当たりの着色インクの印字量Ａが第２閾値Ａ2以上第３閾値Ａ3以下では単位面積当たりの着色インクの印字量Ａが増加するにつれて単位面積当たりの透明インクの印字量Ｂが減少する関係に従わせて、前記透明インク用記録ヘッドにより吐出する単位面積当たりの透明インクの印字量を決定することを特徴とするインクジェット記録装置。
【請求項８】
前記着色インク用記録ヘッドとして、シアンのインクを吐出する記録ヘッド、マゼンタのインクを吐出する記録ヘッド、イエローのインクを吐出する記録ヘッド、ブラックのインクを吐出する記録ヘッドを備えることを特徴とする請求項１から７の何れか一項に記載のインクジェット記録装置。
【請求項９】
記録媒体に向けて紫外線を発する紫外線照射装置を更に備え、
前記着色インク用記録ヘッドから吐出されるインク及び前記透明インク用記録ヘッドから吐出されるインクが紫外線により硬化するインクであることを特徴とする請求項１から８の何れか一項に記載のインクジェット記録装置。
【発明の詳細な説明】
【技術分野】
【０００１】
本発明は、インクジェット記録装置に係り、特に光硬化型のインクを使用したインクジェット記録装置に関する。
【背景技術】
【０００２】
従来、用紙やプラスチック薄板等の記録媒体にインクを吐出して所定の画像を記録するインクジェット記録装置が実用化されている。インクジェット記録装置は、入力階調値に応じて各色のインクの印字量（インク滴の体積が常に一定で有れば、単位面積当たりのインク滴の吐出回数）を決定し、その決定した印字量でインクの吐出を行うものである。
【０００３】
特に、近年においては、インクを吸収しない記録媒体であっても画像が記録できるように、光硬化型のインクを使用して記録媒体上に着弾したインクに対して紫外線等の光を照射することで、画像を記録するインクジェット記録装置が開発されている。このようなインクジェット記録装置として、例えばラジカル重合系のインクを用いて多量の紫外線を一括して照射する装置が開発されている（例えば特許文献１参照）。
【０００４】
光硬化型の非吸収性インクを用いた場合、記録媒体に着弾したインクが隆起した状態で硬化するため、記録媒体に記録された画像がざらついたり、凹凸感を持ったり、過度の光沢感をもったりする。画像のざらつき、凹凸感、過度の光沢感を抑制するために、透明なインクを用いて画像を記録するインクジェット記録装置も提案されている（例えば特許文献２参照）。
【特許文献１】特開２００１−３１０４５４号公報
【特許文献２】特開２００３−１９１６０１号公報
【発明の開示】
【発明が解決しようとする課題】
【０００５】
ところが、透明なインクを用いて画像を記録した場合でも、画像中の或る部分では光沢感が高く、別の部分では光沢感が低くなることがあり、画像を面内で均一の光沢感にすることができなかった。
【０００６】
そこで、本発明の目的は、上記のような問題点を解決しようとしてなされたものであり、画像を面内で均一の光沢感にすることができるインクジェット記録装置を提供することを目的とする。
【課題を解決するための手段】
【０００７】
上記課題を解決するために、請求項１に記載の発明のインクジェット記録装置は、
光硬化型の着色インクを記録媒体に吐出する着色インク用記録ヘッドと、
光硬化型の透明インクを記録媒体に吐出する透明インク用記録ヘッドと、
前記着色インク用記録ヘッド及び前記透明インク用記録ヘッドを制御する制御装置と、を備え、
前記制御装置は、単位面積当たりの着色インクの印字量Ａが増加するにつれて単位面積当たりの透明インクの印字量Ｂが減少する関係に従わせて、前記透明インク用記録ヘッドにより吐出する単位面積当たりのインク印字量を決定することを特徴とする。
【０００８】
請求項１に記載の発明では、制御装置が印字量Ａに対する印字量Ｂの関係に従わせて、透明インク用記録ヘッドの印字量を決定するので、その関係に従った印字量で着色インク用記録ヘッド及び透明インク用記録ヘッドがインクを吐出する。そのため、面内で均一の光沢感を持った画像を記録媒体に記録することができる。
【０００９】
請求項２に記載のインクジェット記録装置は、記録媒体の光沢度を測定する光沢度計を更に備え、
前記制御装置は、単位面積当たりの着色インクの印字量Ａが増加するにつれて単位面積当たりの透明インクの印字量Ｂが減少する関係を、前記光沢度計により測定された光沢度に基づいて決定し、その決定した関係に従わせて、前記透明インク用記録ヘッドにより吐出する単位面積当たりのインク印字量を決定することを特徴とする。
【００１０】
請求項２に記載の発明では、記録媒体の光沢度が光沢度計により測定され、その測定された光沢度に基づき、印字量Ａに対する印字量Ｂの関係が決定されるので、その記録媒体の光沢度に適切な印字量で着色インク用記録ヘッド及び透明インク用記録ヘッドがインクを吐出する。そのため、どのような光沢度の記録媒体であっても、面内で均一の光沢感を持った画像を記録することができる。
【００１１】
請求項３に記載のインクジェット記録装置においては、前記制御装置は、単位面積当たりの着色インクの印字量Ａが増加するにつれて単位面積当たりの透明インクの印字量Ｂが減少する関係を、単位面積当たりの着色インクの最大印字量に基づいて決定し、その決定した関係に従わせて、前記透明インク用記録ヘッドにより吐出する単位面積当たりのインク印字量を決定することを特徴とする。
【００１２】
請求項３に記載の発明では、単位面積当たりの着色インクの最大印字量に基づき、印字量Ａに対する印字量Ｂの関係が決定されるので、最大印字量に適切な印字量で着色インク用記録ヘッド及び透明インク用記録ヘッドがインクを吐出する。そのため、どのような最大印字量であっても、面内で均一の光沢感を持った画像を記録することができる。
【００１３】
また、請求項４に記載の発明のインクジェット記録装置は、光硬化型の着色インクを記録媒体に吐出する着色インク用記録ヘッドと、
光硬化型の透明インクを記録媒体に吐出する透明インク用記録ヘッドと、
前記着色インク用記録ヘッド及び前記透明インク用記録ヘッドを制御する制御装置と、を備え、
前記制御装置は、単位面積当たりの着色インクの印字量Ａが第１閾値Ａ1以上第２閾値Ａ2以下では単位面積当たりの着色インクの印字量Ａが増加するにつれて単位面積当たりの透明インクの印字量Ｂが増加し、単位面積当たりの着色インクの印字量Ａが第２閾値Ａ2以上第３閾値Ａ3以下では単位面積当たりの着色インクの印字量Ａが増加するにつれて単位面積当たりの透明インクの印字量Ｂが減少する関係に従わせて、前記透明インク用記録ヘッドにより吐出する単位面積当たりの透明インクの印字量を決定することを特徴とする。
【００１４】
請求項４に記載の発明では、制御装置が印字量Ａに対する印字量Ｂの関係に従わせて、透明インク用記録ヘッドに印字量を決定するので、その関係に従った印字量で着色インク用記録ヘッド及び透明インク用記録ヘッドがインクを吐出する。そのため、面内で均一の光沢感を持った画像を記録媒体に記録することができる。
【００１５】
請求項５に記載のインクジェット記録装置は、記録媒体の光沢度を測定する光沢度計を更に備え、
前記制御装置は、単位面積当たりの着色インクの印字量Ａが第１閾値Ａ1以上第２閾値Ａ2以下では単位面積当たりの着色インクの印字量Ａが増加するにつれて単位面積当たりの透明インクの印字量Ｂが増加し、単位面積当たりの着色インクの印字量Ａが第２閾値Ａ2以上第３閾値Ａ3以下では単位面積当たりの着色インクの印字量Ａが増加するにつれて単位面積当たりの透明インクの印字量Ｂが減少する関係を、前記光沢度計により測定された光沢度に基づいて決定し、その決定した関係に従わせて、前記透明インク用記録ヘッドにより吐出する単位面積当たりのインク印字量を決定することを特徴とする。
【００１６】
請求項５に記載の発明では、記録媒体の光沢度が光沢度計により測定され、その測定された光沢度に基づき、印字量Ａに対する印字量Ｂの関係が決定されるので、その記録媒体の光沢度に適切な印字量で着色インク用記録ヘッド及び透明インク用記録ヘッドがインクを吐出する。そのため、どのような光沢度の記録媒体であっても、面内で均一の光沢感を持った画像を記録することができる。
【００１７】
請求項６に記載のインクジェット記録装置においては、前記制御装置は、単位面積当たりの着色インクの印字量Ａが第１閾値Ａ1以上第２閾値Ａ2以下では単位面積当たりの着色インクの印字量Ａが増加するにつれて単位面積当たりの透明インクの印字量Ｂが増加し、単位面積当たりの着色インクの印字量Ａが第２閾値Ａ2以上第３閾値Ａ3以下では単位面積当たりの着色インクの印字量Ａが増加するにつれて単位面積当たりの透明インクの印字量Ｂが減少する関係を、単位面積当たりの最大印字量に基づいて決定し、その決定した関係に従わせて、前記透明インク用記録ヘッドにより吐出する単位面積当たりのインク印字量を決定することを特徴とする。
【００１８】
請求項６に記載の発明では、単位面積当たりの着色インクの最大印字量に基づき、印字量Ａに対する印字量Ｂの関係が決定されるので、最大印字量に適切な印字量で着色インク用記録ヘッド及び透明インク用記録ヘッドがインクを吐出する。そのため、どのような最大印字量であっても、面内で均一の光沢感を持った画像を記録することができる。
【００１９】
請求項７に記載のインクジェット記録装置は、光硬化型の着色インクを記録媒体に吐出する着色インク用記録ヘッドと、
光硬化型の透明インクを記録媒体に吐出する透明インク用記録ヘッドと、
前記着色インク用記録ヘッド及び前記透明インク用記録ヘッドを制御する制御装置と、
記録媒体の光沢度を測定する光沢度計と、を備え、
前記制御装置は、
前記光沢度計により測定された光沢度に基づき第１モードか又は第２モードに選択し、
第１モードに選択した場合には、単位面積当たりの着色インクの印字量Ａが増加するにつれて単位面積当たりの透明インクの印字量Ｂが減少する関係に従わせて、前記透明インク用記録ヘッドにより吐出する単位面積当たりのインク印字量を決定し、
第２モードに選択した場合には、単位面積当たりの着色インクの印字量Ａが第１閾値Ａ1以上第２閾値Ａ2以下では単位面積当たりの着色インクの印字量Ａが増加するにつれて単位面積当たりの透明インクの印字量Ｂが増加し、単位面積当たりの着色インクの印字量Ａが第２閾値Ａ2以上第３閾値Ａ3以下では単位面積当たりの着色インクの印字量Ａが増加するにつれて単位面積当たりの透明インクの印字量Ｂが減少する関係に従わせて、前記透明インク用記録ヘッドにより吐出する単位面積当たりの透明インクの印字量を決定することを特徴とする。
【００２０】
請求項７に記載の発明では、記録媒体の光沢度が光沢度計により測定され、その測定された光沢度に基づき、印字量Ａに対する印字量Ｂの関係が決定されるので、その記録媒体の光沢度に適切な印字量で着色インク用記録ヘッド及び透明インク用記録ヘッドがインクを吐出する。そのため、どのような光沢度の記録媒体であっても、面内で均一の光沢感を持った画像を記録することができる。
【００２１】
請求項８に記載のインクジェット記録装置は、前記着色インク用記録ヘッドとして、シアンのインクを吐出する記録ヘッド、マゼンタのインクを吐出する記録ヘッド、イエローのインクを吐出する記録ヘッド、ブラックのインクを吐出する記録ヘッドを備えることを特徴とする。
【００２２】
請求項８に記載の発明では、シアン、マゼンタ、イエロー、ブラックのインクにより画像が形成される。
【００２３】
請求項９に記載のインクジェット記録装置においては、記録媒体に向けて紫外線を発する紫外線照射装置を更に備え、前記着色インク用記録ヘッドから吐出されるインク及び前記透明インク用記録ヘッドから吐出されるインクが紫外線により硬化するインクであることを特徴とする。
【００２４】
請求項９に記載の発明では、記録媒体に着弾したインクが紫外線照射装置から発した紫外線によって硬化する。
【発明の効果】
【００２５】
請求項１に記載の発明によれば、面内で均一の光沢感を持った画像を記録媒体に記録することができる。特に、記録媒体の光沢度が単位面積当たりのインクの最大印字量した場合における光沢度よりも低いときに、面内で均一の光沢感を持った画像を記録媒体に記録することができる。
【００２６】
請求項２に記載の発明によれば、どのような光沢度の記録媒体であっても、面内で均一の光沢感を持った画像を記録することができる。
【００２７】
請求項３に記載の発明によれば、単位面積当たりの着色インクの最大印字量が変化した場合でも、面内で均一の光沢感を持った画像を記録媒体に記録することができる。
【００２８】
請求項４に記載の発明によれば、面内で均一の光沢感を持った画像を記録媒体に記録することができる。特に、記録媒体の光沢度が単位面積当たりのインクの最大印字量した場合における光沢度と同等であるときに、面内で均一の光沢感を持った画像を記録媒体に記録することができる。記録媒体の光沢度が単位面積当たりのインクの最大印字量した場合における光沢度より高いときに、印字量の差異による光沢度の差異を低減することができる。
【００２９】
請求項５に記載の発明によれば、どのような光沢度の記録媒体であっても、面内で均一の光沢感を持った画像を記録することができる。
【００３０】
請求項６に記載の発明によれば、単位面積当たりの着色インクの最大印字量が変化した場合でも、面内で均一の光沢感を持った画像を記録媒体に記録することができる。
【００３１】
請求項７に記載の発明によれば、どのような光沢度の記録媒体であっても、面内で均一の光沢感を持った画像を記録することができる。
【００３２】
請求項８に記載の発明によれば、着色インクとしてシアン、マゼンタ、イエロー、ブラックのインクを用いたインクジェット記録装置でも、請求項１から７の何れか一項に記載の発明と同様の効果を奏する。
【００３３】
請求項９に記載の発明によれば、光硬化性インクとして紫外線硬化性インクを用いたインクジェット記録装置でも、請求項１から８の何れか一項に記載の発明と同様の効果を奏する。
【発明を実施するための最良の形態】
【００３４】
以下に、本発明を実施するための最良の形態について図面を用いて説明する。但し、以下に述べる実施形態には、本発明を実施するために技術的に好ましい種々の限定が付されているが、発明の範囲を以下の実施形態及び図示例に限定するものではない。
【００３５】
〔第１の実施の形態〕
図１は、本発明を適用した実施形態におけるインクジェット記録装置１の正面図であり、図２は、このインクジェット記録装置１の上面図である。図３は、このインクジェット記録装置１の制御回路を示したブロック図である。
【００３６】
図１、図２、図３に示すように、このインクジェット記録装置１は、平板状に設けられたプラテン２と、プラテン２の上方においてプラテン２に対して平行に設けられたガイド部材３と、ガイド部材３に支持されているとともにガイド部材３によって案内されるキャリッジ４と、キャリッジ４に取り付けられた記録ヘッド５〜９と、キャリッジ４に取り付けられた紫外線照射装置１０，１１と、キャリッジ４に取り付けられた光沢度計１３と、ガイド部材３に対して直交する方向にウェブ状の記録媒体９９を搬送して記録媒体９９をプラテン２上でインクジェット記録装置１の背面から正面へ通過させる搬送装置１４と、記録ヘッド５〜９、紫外線照射装置１０，１１、搬送装置１４及び光沢度計１３を制御する制御装置１５と、を備える。以下では、ガイド部材３に沿ってキャリッジ４が移動する方向を走査方向ｘとし、記録媒体９９が搬送される方向を搬送方向ｙとする。
【００３７】
搬送装置１４は、搬送モータ及び搬送ローラ等を備えており、搬送モータの駆動により搬送ローラを回転させることで記録媒体９９を搬送するものである。また、搬送装置１４は、記録媒体９９を間欠的に搬送するように設けられている。
【００３８】
プラテン２は、記録媒体９９を下から支持するものである。
【００３９】
キャリッジ４は、ガイド部材３に沿って走査方向ｘに移動可能に設けられている。
【００４０】
記録ヘッド５〜９は、走査方向ｘに沿って図１の左から透明インク用記録ヘッド９、着色インク用記録ヘッド８、着色インク用記録ヘッド７、着色インク用記録ヘッド６、着色インク用記録ヘッド５の順に配列されている。記録ヘッド５〜９は、それぞれの下面がプラテン２上の記録媒体９９に対向するようにキャリッジ４に搭載されている。記録ヘッド５〜９のそれぞれの下面には、インクを吐出するための複数の吐出口が形成されており、吐出口ごとに素子（例えば、ピエゾ素子、加熱素子、静電素子等）が設けられている。そして、記録ヘッド５〜９は、素子の動作により各吐出口から個別にインクを液滴として吐出するように設けられている。
【００４１】
ここで、記録ヘッド５〜９が吐出するインクは、紫外線により硬化する紫外線硬化性インクであり、カチオン重合性インク、ラジカル重合性インクの何れでも良い。これらのうち着色インク用記録ヘッド５〜８は、着色剤を含有した着色インクを吐出するものであり、透明インク用記録ヘッド９は、着色剤を含有しない透明（ＣＬ）なインクを吐出するものである。特に、着色インク用記録ヘッド５は、イエロー（Ｙ）のインクを吐出するものであり、着色インク用記録ヘッド６は、マゼンタ（Ｍ）のインクを吐出するものであり、着色インク用記録ヘッド７は、シアン（Ｃ）のインクを吐出するものであり、着色インク用記録ヘッド８は、ブラック（Ｋ）のインクを吐出するものである。なお、ＹＭＣＫ以外の色のインクを吐出する着色インク用記録ヘッドが更にキャリッジ４に搭載されていても良い。
【００４２】
紫外線照射装置１０，１１は、紫外線波長域を含む光を下方の記録媒体９９に照射するものである。紫外線照射装置１０，１１は、走査方向ｘに沿って紫外線照射装置１１、紫外線照射装置１０の順に配列されている。そして、走査方向ｘに沿って紫外線照射装置１０と紫外線照射装置１１との間に透明インク用記録ヘッド９が配置され、走査方向ｘに沿って透明インク用記録ヘッド９と着色インク用記録ヘッド８との間に紫外線照射装置１０が配置されている。なお、図１において、着色インク用記録ヘッド５の右側に紫外線照射装置が配置され、その紫外線照射装置の右側に透明インク用記録ヘッドが配置され、その透明インク用記録ヘッドの右側に紫外線照射装置が配置されていても良い。これにより、キャリッジ４が図１の左から右へ移動している場合でも、右から左へ移動している場合でも、画像記録が可能となる。
【００４３】
光沢度計１３は、着色インク用記録ヘッド５の搬送方向ｙ下流側に配置されている。この光沢度計１３は、下方の記録媒体９９に向けて所定角度（例えば、４５°、６０°）の入射角で投光し、記録媒体９９における反射光を受光することによって記録媒体９９の光沢度（光沢度はその所定角度における記録媒体９９の反射率に対応している。）を測定するものである。つまり、この光沢度計１３は、ＪＩＳ  Ｚ８７４１に従って記録媒体９９の光沢度を測定するものである。また、光沢度計１３は、測定した記録媒体９９の光沢度に従った電気信号として制御装置１５に出力する。
【００４４】
制御装置１５は、ＣＰＵと、ＣＰＵにとって読取可能な制御プログラムを記憶したＲＯＭと、ＣＰＵの作業領域を提供するＲＡＭと、光沢度計１３から光沢度の測定値を入力するインターフェースと、制御プログラムに従ったＣＰＵの指示によりキャリッジ４、記録ヘッド５〜９及び搬送装置１４のそれぞれを駆動する駆動回路と、を備える。
【００４５】
制御装置１５は、図４のグラフに示すような、単位面積当たりのＹＭＣＫの着色インクの総印字量Ａに対する単位面積当たりの透明インクの印字量Ｂの関係をＲＯＭに記憶している。ここで、図４においては、横軸は、単位面積当たりのＹＭＣＫの着色インクの総印字量Ａを表し、縦軸は、単位面積当たりの透明インクの印字量Ｂを表している。また、グラフの原点においては、総印字量Ａがゼロであり、印字量Ｂが最小値Ｂmin（例えば、ゼロ）である。図４のグラフに示すように、この関係は総印字量Ａが増加するにつれて印字量Ｂが減少する関係となっており、印字量Ｂが総印字量Ａの一次関数となっている。特に、図４のグラフの関係を式で表すと以下のようになる。
【００４６】
Ｂ＝α1・Ａ＋β1  …（１）
但し、α1＜０、β1＞０であり、α1及びβ1ともに定数である。
【００４７】
式（１）で表されるような総印字量Ａと印字量Ｂとの関係は、後述する第１モードで用いられる関係である。また、図４のグラフの関係は、総印字量Ａに対する印字量ＢのデータテーブルとしてＲＯＭに格納されていても良いし、式（１）のようにα1及びβ1で表した式としてＲＯＭに格納されていても良い。なお、総印字量Ａが増加するにつれて印字量Ｂが減少する関係となっていれば、印字量Ｂが総印字量Ａの一次関数でなくても良い。
【００４８】
なお、単位面積当たりの印字量とは、一回に吐出されるインクの量ではなく、単位面積当たりに吐出されたインクの総量である。仮に一回に吐出されるインクの量が一定の場合には、その量と、単位面積当たりにインクが吐出された回数とを乗じた値が印字量である。
【００４９】
また、制御装置１５は、図５のグラフに示すような、単位面積当たりのＹＭＣＫの着色インクの総印字量Ａに対する単位面積当たりの透明インクの印字量Ｂの関係をＲＯＭに記憶している。ここで、図５においては、横軸は、単位面積当たりのＹＭＣＫの着色インクの総印字量Ａを表し、縦軸は、単位面積当たりの透明インクの印字量Ｂを表している。また、グラフの原点においては、総印字量Ａがゼロであり、印字量Ｂが最小値Ｂmin（例えば、ゼロ）である。図５のグラフに示すように、この関係は、総印字量Ａがゼロ以上第１閾値Ａ1では総印字量Ａに係わらず印字量Ｂが最小値Ｂminであり、総印字量Ａが第１閾値Ａ1以上第２閾値Ａ2以下では総印字量Ａが増加するにつれて印字量Ｂが増加し、総印字量Ａが第２閾値Ａ2以上第３閾値Ａ3以下では総印字量Ａが増加するにつれて印字量Ｂが減少する関係となっている。図５のグラフでは、第１閾値Ａ1以上第２閾値Ａ2以下であっても第２閾値Ａ2以上第３閾値Ａ3以下であっても、印字量Ｂが総印字量Ａの一次関数となっている。特に、図５のグラフの関係を式で表すと以下のようになる。
【００５０】
Ｂ＝Ｂmin  （０≦Ａ≦Ａ1）、Ｂ＝α2・Ａ＋β2  （Ａ1≦Ａ≦Ａ2）、Ｂ＝α3・Ａ＋β3  （Ａ2≦Ａ＜Ａ3）  …（２）
但し、α2＞０、β2＜０、α3＜０、β3＞０、α2・Ａ2＋β2＝α3・Ａ2＋β3であり、α2・Ａ1＋β2=α3・Ａ3＋β3＝βminであり、α2、β2、α3及びβ3は定数である。
【００５１】
図５のグラフのような総印字量Ａと印字量Ｂとの関係は、後述する第２モードで用いられる関係である。なお、図５のグラフの関係において、第１閾値Ａ1に対応する印字量Ｂを第１特異値Ｂ1とし(Ｂ1＝Ｂmin）、第２閾値Ａ2に対応する印字量Ｂを第２特異値Ｂ2（Ｂ2＝α2・Ａ2＋β2＝α3・Ａ2＋β3）とし、第３閾値Ａ3に対応する印字量Ｂを第３特異値Ｂ3（Ｂ3＝Ｂmin）とする。なお、第１閾値Ａ1以上第２閾値Ａ2以下の範囲において総印字量Ａが増加するにつれて印字量Ｂが増加する関係となっていれば、印字量Ｂが総印字量Ａの一次関数でなくても良い。また、第２閾値Ａ2以上第３閾値Ａ3以下の範囲において総印字量Ａが増加するにつれて印字量Ｂが減少する関係となっていれば、印字量Ｂが総印字量Ａの一次関数でなくても良い。
【００５２】
制御装置１５は、ＣＰＵでＲＯＭの制御プログラムに従った演算処理を行うことにより、光沢度計１３から光沢度の測定値を入力したり、記録ヘッド５〜９に吐出動作を行わせたり、キャリッジ４を走査方向ｘに沿って移動させたり、搬送装置１４に搬送動作を行わせたり、紫外線照射装置１０，１１を点灯・消灯したりする。
【００５３】
また、制御装置１５は、制御プログラムに従ったＣＰＵの処理により次のような手段として機能する。すなわち、制御装置１５は、光沢度計１３により測定された記録媒体９９の光沢度に基づき第１モードか又は第２モードを選択する選択手段と、選択手段により第１モードとして選択された場合にはＲＯＭから図４のグラフのような総印字量Ａと印字量Ｂとの関係を読み出し、外部から入力された画像データ（入力階調値）に従って着色インク用記録ヘッド５〜８により吐出する単位面積当たりの着色インクの総印字量を決定した後に、決定した着色インクの総印字量から図４のグラフのような総印字量Ａと印字量Ｂとの関係に従って透明インク用記録ヘッド９により吐出する単位面積当たりの透明インクの印字量を決定し、第２モードとして選択された場合にはＲＯＭから図５のグラフのような総印字量Ａと総印字量Ｂとの関係を読み出し、外部から入力された画像データに従って着色インク用記録ヘッド５〜８により吐出する単位面積当たりの着色インクの総印字量を決定した後に、決定した着色インクの総印字量から図５のグラフのような総印字量Ａと印字量Ｂとの関係に従って透明インク用記録ヘッド９により吐出する単位面積当たりの透明インクの印字量を決定する手段と、決定した総印字量で着色インクの吐出を着色インク用記録ヘッド５〜８に行わせるとともに決定した印字量で透明インクの吐出を透明インク用記録ヘッド９に行わせる手段と、に機能する。
【００５４】
次に、インクジェット記録装置１の動作について説明する。
ユーザが記録媒体９９をインクジェット記録装置１にセッティングし、インクジェット記録装置１の電源をオン状態とする。そして、制御装置１５がキャリッジ４を制御すると、キャリッジ４が走査方向ｘに沿って移動する。キャリッジ４の移動中に記録媒体９９の光沢度が光沢度計１３により測定され、制御装置１５は光沢度の測定値を光沢度計１３から入力する。
【００５５】
そして、制御装置１５は、光沢度計１３から入力した光沢度の測定値に基づき第１モードか又は第２モードを選択する。例えば、光沢度計１３から入力した光沢度の測定値が所定値未満の場合には、制御装置１５は第１モードを選択し、光沢度計１３から入力した光沢度の測定値がその所定値以上の場合には、制御装置１５は第２モードを選択する。所定値としては、仮に最大印字量で記録した場合における画像の光沢度を適用することができる。
【００５６】
そして、制御装置１５は、第１モードを選択した場合には図４のグラフのような総印字量Ａと印字量Ｂとの関係をＲＯＭから読み出す。そして、制御装置１５が紫外線照射装置１０，１１を点灯し更に搬送装置１４を制御すると、搬送装置１４が記録媒体９９の搬送と停止とを繰り返して記録媒体９９を間欠的に搬送する。記録媒体９９の搬送中に制御装置１５がキャリッジ４を制御すると、キャリッジ４が記録媒体９９の停止中に走査方向ｘに往復移動し、更にキャリッジ４の往動中に制御装置１５が入力階調値に基づいて記録ヘッド５〜９を制御すると、記録ヘッド５〜９が吐出口から記録媒体９９に向けてインクを液滴として適宜吐出する。記録媒体９９に着弾したインクが紫外線照射装置１０，１１から発した紫外線を受けて硬化する。これらの工程を繰り返すことにより、記録媒体９９上に画像が記録されていく。記録媒体９９に画像が記録されている時に、制御装置１５は、
外部から入力された画像データに従って着色インク用記録ヘッド５〜８により吐出する単位面積当たりの着色インクの総印字量を決定した後に、図４のグラフのような総印字量Ａと印字量Ｂとの関係に従って、決定した着色インクの総印字量から透明インク用記録ヘッド９により吐出する単位面積当たりのインク印字量を決定し、決定した総印字量で着色インクの吐出を着色インク用記録ヘッド５〜８に行わせるとともに決定した印字量で透明インクの吐出を透明インク用記録ヘッド９に行わせる。つまり、例えばコンピュータ等の外部から制御装置１５に入力された入力階調値に応じた着色インクの総印字量ＡがＡ100である場合には、制御装置１５は単位面積当たりの総印字量Ａ100となるように着色インク用記録ヘッド５〜８に吐出動作を行わせ、単位面積当たりの印字量（α1・Ａ100＋β1）となるように透明インク用記録ヘッド９に吐出動作を行わせる。
【００５７】
一方、制御装置１５は、第２モードを選択した場合には図５のグラフのような総印字量Ａと印字量Ｂとの関係をＲＯＭから読み出す。そして、制御装置１５が紫外線照射装置１０，１１を点灯し更に搬送装置１４を制御すると、搬送装置１４が記録媒体９９の搬送と停止とを繰り返して記録媒体９９を間欠的に搬送する。記録媒体９９の搬送中に制御装置１５がキャリッジ４を制御すると、キャリッジ４が記録媒体９９の停止中に走査方向ｘに往復移動し、更にキャリッジ４の往動中に制御装置１５が入力階調値に基づいて記録ヘッド５〜９を制御すると、記録ヘッド５〜９が吐出口から記録媒体９９に向けてインクを液滴として適宜吐出する。記録媒体９９に着弾したインクが紫外線照射装置１０，１１から発した紫外線を受けて硬化する。これらの工程を繰り返すことにより、記録媒体９９上に画像が記録されていく。記録媒体９９に画像が記録されている時に、制御装置１５は、外部から入力された画像データに従って着色インク用記録ヘッド５〜８により吐出する単位面積当たりの着色インクの総印字量を決定した後に、図５のグラフのような総印字量Ａと印字量Ｂとの関係に従って、決定した着色インクの総印字量から透明インク用記録ヘッド９により吐出する単位面積当たりのインク印字量を決定し、決定した総印字量で着色インクの吐出を着色インク用記録ヘッド５〜８に行わせるとともに決定した印字量で透明インクの吐出を透明インク用記録ヘッド９に行わせる。
【００５８】
以上のように、本実施の形態によれば、記録媒体９９の光沢度が所定値よりも低い場合には、制御装置１５が図４のグラフのような関係に従わせて、着色インク用記録ヘッド５〜８の総印字量及び透明インク用記録ヘッド９の印字量を決定し、その関係に従った印字量で記録ヘッド５〜９にインクの吐出を行わせているので、面内で均一の光沢感を持った画像を記録媒体９９に記録することができる。
【００５９】
一方、記録媒体９９の光沢度が所定値以上である場合には、制御装置１５が図５のグラフのような関係に従わせて、着色インク用記録ヘッド５〜８の総印字量及び透明インク用記録ヘッド９の印字量を決定し、その関係に従った印字量で記録ヘッド５〜９にインクの吐出を行わせているので、面内で均一の光沢感を持った画像を記録媒体９９に記録することができる。
【００６０】
このように、記録媒体９９の光沢度に基づき、図４のグラフの関係か又は図５のグラフの関係を決定しているので、どのような光沢度の記録媒体であっても、面内で均一の光沢感を持った画像を記録することができる。
【００６１】
〔第２の実施の形態〕
第２の実施の形態におけるインクジェット記録装置について説明する。第２の実施の形態のインクジェット記録装置において、第１の実施の形態のインクジェット記録装置１の何れかの部分に対応する部分に対して同一の符号を付し、同一の部分についての説明は省略する。また、以下の説明においても、同一符号を用いて第２の実施の形態のインクジェット記録装置について説明する。
【００６２】
第２の実施の形態におけるインクジェット記録装置も、第１の実施の形態におけるインクジェット記録装置１と同様に、プラテン２と、ガイド部材３と、キャリッジ４と、記録ヘッド５〜９と、紫外線照射装置１０，１１と、光沢度計１３と、搬送装置１４と、制御装置１５と、を備える。
【００６３】
第１の実施の形態では、式（１）の関係はα1及びβ1が定数としてＲＯＭに格納されており、光沢度計１３により測定された光沢度の測定値が第１モードの範囲であれば、光沢度計１３により測定された光沢度の測定値が変わっても着色インク用記録ヘッド５〜８により吐出する単位面積当たりの着色インクの総印字量及び透明インク用記録ヘッド９により吐出する単位面積当たりの透明インクの印字量はα1及びβ1を定数とした式（１）の関係に従って決定されていた。
【００６４】
それに対して、第２の実施の形態では、制御装置１５は、第１モードを選択してから図４のグラフのような関係を用いる場合に、図４のグラフのような関係を光沢度計１３により測定された光沢度の測定値に基づき決定する。すなわち、第２の実施の形態では、α1及びβ1が光沢度λの変数としてＲＯＭに格納されている。具体的には、光沢度λが増加するにつれてβ1が減少する関係がＲＯＭに格納されているとともに、光沢度λが増加するにつれてα1が増加する関係がＲＯＭに格納されている。更に、光沢度λの値に係わらず、印字量Ｂが最小値Ｂminの場合には、総印字量Ａが一定の最大値Ａmaxとなるように、α1とβ1との関係がある（すなわち、（Ｂmin−β1）／α1＝Ａmax＝一定）。このような、α1とβ1と光沢度λの関係によって総印字量Ａと印字量Ｂとの関係をグラフで表すと、図６のようになる。図６において、横軸は、単位面積当たりのＹＭＣＫの着色インクの総印字量Ａを表し、縦軸は、単位面積当たりの透明インクの印字量Ｂを表している。
【００６５】
図６に示すように、総印字量Ａと印字量Ｂとの関係を表す直線は、光沢度λが増加するにつれて点線で表すような直線に漸近していき、光沢度λが減少するにつれて実線で表すような直線に漸近していく。なお、β1が光沢度λの関数であるから、図６の実線におけるβ1の値と点線におけるβ1の値は異なる。
【００６６】
第２の実施の形態のインクジェット記録装置の動作について説明する。
制御装置１５がキャリッジ４を制御すると、キャリッジ４が走査方向ｘに沿って移動し、キャリッジ４の移動中に記録媒体９９の光沢度が光沢度計１３により測定され、制御装置１５は測定された光沢度の測定値を光沢度計１３から入力する。光沢度計１３から入力した光沢度の測定値が所定値未満の場合には、制御装置１５は第１モードを選択し、光沢度計１３から入力した光沢度の測定値がその所定値以上の場合には、制御装置１５は第２モードを選択する。
【００６７】
そして、制御装置１５は、第１モードを選択した場合には、光沢度計１３から入力した光沢度の測定値に基づいて、総印字量Ａと印字量Ｂとの関係を決定する。具体的には、制御装置１５は、ＲＯＭに格納された光沢度λとα1との関係の光沢度λに対して、光沢度計１３による光沢度の測定値を代入して、α1の値を求めるとともに、ＲＯＭに格納された光沢度λとβ1との関係に光沢度λに対して、光沢度計１３による光沢度の測定値を代入して、β1の値を求める。そして、制御装置１５は、求めたα1の値とβ1の値から総印字量Ａと印字量Ｂとの関係（式（１））を決定する。そして、制御装置１５が紫外線照射装置１０，１１を点灯し更に搬送装置１４を制御すると、搬送装置１４が記録媒体９９の搬送と停止とを繰り返して記録媒体９９を間欠的に搬送する。記録媒体９９の搬送中に制御装置１５がキャリッジ４を制御すると、キャリッジ４が記録媒体９９の停止中に走査方向ｘに往復移動し、更にキャリッジ４の往動中に制御装置１５が入力階調値に基づいて記録ヘッド５〜９を制御すると、記録ヘッド５〜９が吐出口から記録媒体９９に向けてインクを液滴として適宜吐出する。記録媒体９９に着弾したインクが紫外線照射装置１０，１１から発した紫外線を受けて硬化する。これらの工程を繰り返すことにより、記録媒体９９上に画像が記録されていく。記録媒体９９に画像が記録されている時に、制御装置１５は、外部から入力された画像データに従って着色インク用記録ヘッド５〜８により吐出する単位面積当たりの着色インクの総印字量を決定した後に、決定した総印字量Ａと印字量Ｂとの関係に従って、決定した着色インクの総印字量から透明インク用記録ヘッド９により吐出する単位面積当たりのインク印字量を決定し、決定した総印字量で着色インクの吐出を着色インク用記録ヘッド５〜８に行わせるとともに決定した印字量で透明インクの吐出を透明インク用記録ヘッド９に行わせる。
一方、制御装置１５は、第２モードを選択した場合には、第１の実施の形態における第２モードと同様に制御を行う。
【００６８】
本実施形態においても、第１の実施の形態と同様に、面内で均一の光沢感を持った画像を記録媒体９９に記録することができる。
また、記録媒体９９の光沢度が所定値より低い場合においては、記録媒体９９の光沢度に基づき、図４のグラフの関係を決定しているので、どのような光沢度の記録媒体であっても、面内で均一の光沢感を持った画像を記録することができる。
【００６９】
〔第３の実施の形態〕
第３の実施の形態におけるインクジェット記録装置について説明する。第３の実施の形態のインクジェット記録装置において、第１の実施の形態のインクジェット記録装置１の何れかの部分に対応する部分に対して同一の符号を付し、同一の部分についての説明は省略する。また、以下の説明においても、同一符号を用いて第３の実施の形態のインクジェット記録装置について説明する。
【００７０】
第３の実施の形態におけるインクジェット記録装置も、第１の実施の形態におけるインクジェット記録装置１と同様に、プラテン２と、ガイド部材３と、キャリッジ４と、記録ヘッド５〜９と、紫外線照射装置１０，１１と、光沢度計１３と、搬送装置１４と、制御装置１５と、を備える。
【００７１】
第３の実施の形態では、制御装置１５は、第１モードを選択してから図４のグラフのような関係（式（１）のような関係）を用いる場合に、単位面積当たりの着色インクの最大総印字量の設定値に基づいて図４のグラフのような関係を決定する。すなわち、第３の実施の形態では、α1が単位面積当たりの着色インクの最大総印字量γの変数としてＲＯＭに格納されている。具体的には、最大総印字量γが増加するにつれてα1が増加する関係がＲＯＭに格納されており、β1は定数としてＲＯＭに格納されている。このような、α1と最大総印字量γの関係によって総印字量Ａと印字量Ｂとの関係をグラフで表すと、図７のようになる。図７において、横軸は、単位面積当たりのＹＭＣＫの着色インクの総印字量Ａを表し、縦軸は、単位面積当たりの透明インクの印字量Ｂを表している。
【００７２】
図７に示すように、総印字量Ａと印字量Ｂとの関係を表す直線は、最大総印字量γが増加するにつれて点線で表すような直線に漸近していき、最大総印字量γが減少するにつれて実線で表すような直線に漸近していく。なお、最大総印字量γが増加するにつれてα1が増加し且つβ1が一定であるので、総印字量Ａの最大値Ａmaxは最大総印字量γが増加するにつれて増加する。そのため、図７の実線における最大値Ａmaxの値と点線における最大値Ａmaxの値は異なる。
【００７３】
第３の実施の形態のインクジェット記録装置の動作について説明する。
制御装置１５がキャリッジ４を制御すると、キャリッジ４が走査方向ｘに沿って移動し、キャリッジ４の移動中に記録媒体９９の光沢度が光沢度計１３により測定され、制御装置１５は測定された光沢度の測定値を光沢度計１３から入力する。光沢度計１３から入力した光沢度の測定値が所定値未満の場合には、制御装置１５は第１モードを選択し、光沢度計１３から入力した光沢度の測定値がその所定値以上の場合には、制御装置１５は第２モードを選択する。
【００７４】
そして、制御装置１５は、第１モードを選択した場合には、単位面積当たりの着色インクの最大総印字量の設定値に基づき、総印字量Ａと印字量Ｂとの関係を決定する。具体的には、制御装置１５は、ＲＯＭに格納された最大印字量γとα1との関係の最大印字量γに対して、単位面積当たりの着色インクの最大総印字量の設定値を代入して、α1の値を求める。そして、制御装置１５は、ＲＯＭに格納された一定のβ1と求めたα1の値とから総印字量Ａと印字量Ｂとの関係（式（１））を決定する。そして、制御装置１５が紫外線照射装置１０，１１を点灯し更に搬送装置１４を制御すると、搬送装置１４が記録媒体９９の搬送と停止とを繰り返して記録媒体９９を間欠的に搬送する。記録媒体９９の搬送中に制御装置１５がキャリッジ４を制御すると、キャリッジ４が記録媒体９９の停止中に走査方向ｘに往復移動し、更にキャリッジ４の往動中に制御装置１５が入力階調値に基づいて記録ヘッド５〜９を制御すると、記録ヘッド５〜９が吐出口から記録媒体９９に向けてインクを液滴として適宜吐出する。記録媒体９９に着弾したインクが紫外線照射装置１０，１１から発した紫外線を受けて硬化する。これらの工程を繰り返すことにより、記録媒体９９上に画像が記録されていく。記録媒体９９に画像が記録されている時に、制御装置１５は、外部から入力された画像データに従って着色インク用記録ヘッド５〜８により吐出する単位面積当たりの着色インクの総印字量を決定した後に、決定した総印字量Ａと印字量Ｂとの関係に従って、決定した着色インクの総印字量から透明インク用記録ヘッド９により吐出する単位面積当たりのインク印字量を決定し、決定した総印字量で着色インクの吐出を着色インク用記録ヘッド５〜８に行わせるとともに決定した印字量で透明インクの吐出を透明インク用記録ヘッド９に行わせる。
一方、制御装置１５は、第２モードを選択した場合には、第１の実施の形態における第２モードと同様に制御を行う。
【００７５】
本実施形態においても、第１の実施の形態と同様に、面内で均一の光沢感を持った画像を記録媒体９９に記録することができる。
また、記録媒体９９の光沢度が所定値より低い場合においては、最大印字量の設定値に基づき、図４のグラフの関係を決定しているので、単位面積当たりの着色インクの最大印字量が変化した場合でも、面内で均一の光沢感を持った画像を記録媒体に記録することができる。
【００７６】
〔第４の実施の形態〕
第４の実施の形態におけるインクジェット記録装置について説明する。第４の実施の形態のインクジェット記録装置において、第１の実施の形態のインクジェット記録装置１の何れかの部分に対応する部分に対して同一の符号を付し、同一の部分についての説明は省略する。また、以下の説明においても、同一符号を用いて第４の実施の形態のインクジェット記録装置について説明する。
【００７７】
第４の実施の形態におけるインクジェット記録装置も、第１の実施の形態におけるインクジェット記録装置１と同様に、プラテン２と、ガイド部材３と、キャリッジ４と、記録ヘッド５〜９と、紫外線照射装置１０，１１と、光沢度計１３と、搬送装置１４と、制御装置１５と、を備える。
【００７８】
第４の実施の形態では、制御装置１５は、第２モードを選択してから図５のグラフのような関係（式（２）のような関係）を用いる場合に、図５のグラフのような関係を光沢度計１３により測定された光沢度の測定値に基づき決定する。すなわち、第４の実施の形態では、β2が光沢度λの変数としてＲＯＭに格納されている。具体的には、光沢度λが増加するにつれてβ2が減少する関係がＲＯＭに格納されており、α2、α3、β3は定数としてＲＯＭに格納されている。これに伴い、境界条件も光沢度λに依存する。すなわち、α2、α3及びβ3が一定であり、光沢度λが増加するにつれてβ2が減少するから、光沢度λが増加するにつれて第１閾値Ａ1が増加するとともに第２閾値Ａ2も増加する。また、光沢度λの値に係わらず第３閾値Ａ3は一定である。このような、β2と光沢度λの関係によって総印字量Ａと印字量Ｂとの関係をグラフで表すと、図８のようになる。図８において、横軸は、単位面積当たりのＹＭＣＫの着色インクの総印字量Ａを表し、縦軸は、単位面積当たりの透明インクの印字量Ｂを表している。
【００７９】
図８に示すように、総印字量Ａと印字量Ｂとの関係を表す線は、光沢度λが増加するにつれて点線で表すような折れ線に漸近していき、光沢度λが減少するにつれて実線で表すような折れ線に漸近していく。
【００８０】
第４の実施の形態のインクジェット記録装置の動作について説明する。
制御装置１５がキャリッジ４を制御すると、キャリッジ４が走査方向ｘに沿って移動し、キャリッジ４の移動中に記録媒体９９の光沢度が光沢度計１３により測定され、制御装置１５は測定された光沢度の測定値を光沢度計１３から入力する。光沢度計１３から入力した光沢度の測定値が所定値未満の場合には、制御装置１５は第１モードを選択し、光沢度計１３から入力した光沢度の測定値がその所定値以上の場合には、制御装置１５は第２モードを選択する。
【００８１】
そして、制御装置１５は、第２モードを選択した場合には、光沢度計１３から入力した光沢度の測定値に基づいて、総印字量Ａと印字量Ｂとの関係を決定する。具体的には、制御装置１５は、ＲＯＭに格納された光沢度λとβ2との関係の光沢度λに対して、光沢度計１３による光沢度の測定値を代入して、β2の値を求める。そして、制御装置１５は、ＲＯＭに格納された一定のα2、α3及びβ3と求めたβ2の値とから総印字量Ａと印字量Ｂとの関係（式（２））を決定する。そして、制御装置１５が紫外線照射装置１０，１１を点灯し更に搬送装置１４を制御すると、搬送装置１４が記録媒体９９の搬送と停止とを繰り返して記録媒体９９を間欠的に搬送する。記録媒体９９の搬送中に制御装置１５がキャリッジ４を制御すると、キャリッジ４が記録媒体９９の停止中に走査方向ｘに往復移動し、更にキャリッジ４の往動中に制御装置１５が入力階調値に基づいて記録ヘッド５〜９を制御すると、記録ヘッド５〜９が吐出口から記録媒体９９に向けてインクを液滴として適宜吐出する。記録媒体９９に着弾したインクが紫外線照射装置１０，１１から発した紫外線を受けて硬化する。これらの工程を繰り返すことにより、記録媒体９９上に画像が記録されていく。記録媒体９９に画像が記録されている時に、制御装置１５は、外部から入力された画像データに従って着色インク用記録ヘッド５〜８により吐出する単位面積当たりの着色インクの総印字量を決定した後に、決定した総印字量Ａと印字量Ｂとの関係に従って、決定した着色インクの総印字量から透明インク用記録ヘッド９により吐出する単位面積当たりのインク印字量を決定し、決定した総印字量で着色インクの吐出を着色インク用記録ヘッド５〜８に行わせるとともに決定した印字量で透明インクの吐出を透明インク用記録ヘッド９に行わせる。
一方、制御装置１５は、第１モードを選択した場合には、第１の実施の形態における第１モードと同様に制御を行う。
【００８２】
本実施形態においても、第１の実施の形態と同様に、面内で均一の光沢感を持った画像を記録媒体９９に記録することができる。
また、記録媒体９９の光沢度が所定値以上である場合においては、記録媒体９９の光沢度に基づき、図５のグラフの関係を決定しているので、どのような光沢度の記録媒体であっても、面内で均一の光沢感を持った画像を記録することができる。
【００８３】
〔第５の実施の形態〕
第５の実施の形態におけるインクジェット記録装置について説明する。第５の実施の形態のインクジェット記録装置において、第１の実施の形態のインクジェット記録装置１の何れかの部分に対応する部分に対して同一の符号を付し、同一の部分についての説明は省略する。また、以下の説明においても、同一符号を用いて第５の実施の形態のインクジェット記録装置について説明する。
【００８４】
第５の実施の形態におけるインクジェット記録装置も、第１の実施の形態におけるインクジェット記録装置１と同様に、プラテン２と、ガイド部材３と、キャリッジ４と、記録ヘッド５〜９と、紫外線照射装置１０，１１と、光沢度計１３と、搬送装置１４と、制御装置１５と、を備える。
【００８５】
第５の実施の形態では、制御装置１５は、第２モードを選択してから図５のグラフのような関係（式（２）のような関係）を用いる場合に、図５のグラフのような関係を光沢度計１３により測定された光沢度の測定値に基づき決定する。すなわち、第５の実施の形態では、α2及びβ2が光沢度λの変数としてＲＯＭに格納されている。具体的には、光沢度λが増加するにつれてβ2が減少する関係がＲＯＭに格納されており、光沢度λが増加するにつれてα2が増加する関係がＲＯＭに格納されており、α3、β3は定数としてＲＯＭに格納されている。これに伴い、境界条件も光沢度λに依存する。すなわち、α3及びβ3が一定であり、光沢度λが増加するにつれてβ2が減少するとともにα2が増加するから、光沢度λが増加するにつれて第１閾値Ａ1が増加する。また、光沢度λの値に係わらず第２閾値Ａ2及び第３閾値Ａ3は一定である。このような、α2とβ2と光沢度λの関係によって総印字量Ａと印字量Ｂとの関係をグラフで表すと、図９のようになる。図９において、横軸は、単位面積当たりのＹＭＣＫの着色インクの総印字量Ａを表し、縦軸は、単位面積当たりの透明インクの印字量Ｂを表している。
【００８６】
図９に示すように、総印字量Ａと印字量Ｂとの関係を表す線は、光沢度λが増加するにつれて点線で表すような折れ線に漸近していき、光沢度λが減少するにつれて実線で表すような折れ線に漸近していく。
【００８７】
第５の実施の形態のインクジェット記録装置の動作について説明する。
制御装置１５がキャリッジ４を制御すると、キャリッジ４が走査方向ｘに沿って移動し、キャリッジ４の移動中に記録媒体９９の光沢度が光沢度計１３により測定され、制御装置１５は測定された光沢度の測定値を光沢度計１３から入力する。光沢度計１３から入力した光沢度の測定値が所定値未満の場合には、制御装置１５は第１モードを選択し、光沢度計１３から入力した光沢度の測定値がその所定値以上の場合には、制御装置１５は第２モードを選択する。
【００８８】
そして、制御装置１５は、第２モードを選択した場合には、光沢度計１３から入力した光沢度の測定値に基づいて、総印字量Ａと印字量Ｂとの関係を決定する。具体的には、制御装置１５は、ＲＯＭに格納された光沢度λとα2との関係の光沢度λに対して、光沢度計１３による光沢度の測定値を代入して、α2の値を求め、ＲＯＭに格納された光沢度λとβ2との関係の光沢度λに対して、光沢度計１３による光沢度の測定値を代入して、β2を求める。そして、制御装置１５は、ＲＯＭに格納された一定のα3及びβ3と求めたα2及びβ2の値とから総印字量Ａと印字量Ｂとの関係（式（２））を決定する。そして、制御装置１５が紫外線照射装置１０，１１を点灯し更に搬送装置１４を制御すると、搬送装置１４が記録媒体９９の搬送と停止とを繰り返して記録媒体９９を間欠的に搬送する。記録媒体９９の搬送中に制御装置１５がキャリッジ４を制御すると、キャリッジ４が記録媒体９９の停止中に走査方向ｘに往復移動し、更にキャリッジ４の往動中に制御装置１５が入力階調値に基づいて記録ヘッド５〜９を制御すると、記録ヘッド５〜９が吐出口から記録媒体９９に向けてインクを液滴として適宜吐出する。記録媒体９９に着弾したインクが紫外線照射装置１０，１１から発した紫外線を受けて硬化する。これらの工程を繰り返すことにより、記録媒体９９上に画像が記録されていく。記録媒体９９に画像が記録されている時に、制御装置１５は、外部から入力された画像データに従って着色インク用記録ヘッド５〜８により吐出する単位面積当たりの着色インクの総印字量を決定した後に、決定した総印字量Ａと印字量Ｂとの関係に従って、決定した着色インクの総印字量から透明インク用記録ヘッド９により吐出する単位面積当たりのインク印字量を決定し、決定した総印字量で着色インクの吐出を着色インク用記録ヘッド５〜８に行わせるとともに決定した印字量で透明インクの吐出を透明インク用記録ヘッド９に行わせる。
一方、制御装置１５は、第１モードを選択した場合には、第１の実施の形態における第１モードと同様に制御を行う。
【００８９】
本実施形態においても、第１の実施の形態と同様に、面内で均一の光沢感を持った画像を記録媒体９９に記録することができる。
また、記録媒体９９の光沢度が所定値以上である場合においては、記録媒体９９の光沢度に基づき、図５のグラフの関係を決定しているので、どのような光沢度の記録媒体であっても、面内で均一の光沢感を持った画像を記録することができる。
【００９０】
〔第６の実施の形態〕
第６の実施の形態におけるインクジェット記録装置について説明する。第６の実施の形態のインクジェット記録装置において、第１の実施の形態のインクジェット記録装置１の何れかの部分に対応する部分に対して同一の符号を付し、同一の部分についての説明は省略する。また、以下の説明においても、同一符号を用いて第６の実施の形態のインクジェット記録装置について説明する。
【００９１】
第６の実施の形態におけるインクジェット記録装置も、第１の実施の形態におけるインクジェット記録装置１と同様に、プラテン２と、ガイド部材３と、キャリッジ４と、記録ヘッド５〜９と、紫外線照射装置１０，１１と、光沢度計１３と、搬送装置１４と、制御装置１５と、を備える。
【００９２】
第６の実施の形態では、制御装置１５は、第２モードを選択してから図５のグラフのような関係（式（２）のような関係）を用いる場合に、図５のグラフのような関係を単位面積当たりの着色インクの最大総印字量の設定値に基づき決定する。すなわち、第６の実施の形態では、β3が単位面積当たりの着色インクの最大総印字量γの変数としてＲＯＭに格納されている。具体的には、最大総印字量γが増加するにつれてβ3が増加する関係がＲＯＭに格納されており、α2、β2、α3は定数としてＲＯＭに格納されている。これに伴い、境界条件も最大総印字量γに依存する。すなわち、α2、β2及びα3が一定であり、最大総印字量γが増加するにつれてβ3が増加するから、最大総印字量γが増加するにつれて第２閾値Ａ2が増加するとともに第３閾値Ａ3も増加する。また、最大総印字量γの値に係わらず第１閾値Ａ1は一定である。このような、β3と最大総印字量γの関係によって総印字量Ａと印字量Ｂとの関係をグラフで表すと、図１０のようになる。図１０において、横軸は、単位面積当たりのＹＭＣＫの着色インクの総印字量Ａを表し、縦軸は、単位面積当たりの透明インクの印字量Ｂを表している。
【００９３】
図１０に示すように、総印字量Ａと印字量Ｂとの関係を表す線は、最大総印字量γが増加するにつれて実線で表すような折れ線に漸近していき、最大総印字量γが減少するにつれて点線で表すような折れ線に漸近していく。
【００９４】
第６の実施の形態のインクジェット記録装置の動作について説明する。
制御装置１５がキャリッジ４を制御すると、キャリッジ４が走査方向ｘに沿って移動し、キャリッジ４の移動中に記録媒体９９の光沢度が光沢度計１３により測定され、制御装置１５は測定された光沢度の測定値を光沢度計１３から入力する。光沢度計１３から入力した光沢度の測定値が所定値未満の場合には、制御装置１５は第１モードを選択し、光沢度計１３から入力した光沢度の測定値がその所定値以上の場合には、制御装置１５は第２モードを選択する。
【００９５】
そして、制御装置１５は、第２モードを選択した場合には、単位面積当たりの着色インクの最大総印字量の設定値に基づき、総印字量Ａと印字量Ｂとの関係を決定する。具体的には、制御装置１５は、ＲＯＭに格納された最大印字量γとβ3との関係の最大印字量γに対して、単位面積当たりの着色インクの最大総印字量の設定値を代入して、β3の値を求める。そして、制御装置１５は、ＲＯＭに格納された一定のα2、β2及びα3と求めたβ3の値とから総印字量Ａと印字量Ｂとの関係（式（２））を決定する。そして、制御装置１５が紫外線照射装置１０，１１を点灯し更に搬送装置１４を制御すると、搬送装置１４が記録媒体９９の搬送と停止とを繰り返して記録媒体９９を間欠的に搬送する。記録媒体９９の搬送中に制御装置１５がキャリッジ４を制御すると、キャリッジ４が記録媒体９９の停止中に走査方向ｘに往復移動し、更にキャリッジ４の往動中に制御装置１５が入力階調値に基づいて記録ヘッド５〜９を制御すると、記録ヘッド５〜９が吐出口から記録媒体９９に向けてインクを液滴として適宜吐出する。記録媒体９９に着弾したインクが光源から発した紫外線を受けて硬化する。これらの工程を繰り返すことにより、記録媒体９９上に画像が記録されていく。記録媒体９９に画像が記録されている時に、制御装置１５は、外部から入力された画像データに従って着色インク用記録ヘッド５〜８により吐出する単位面積当たりの着色インクの総印字量を決定した後に、決定した総印字量Ａと印字量Ｂとの関係に従って、決定した着色インクの総印字量から透明インク用記録ヘッド９により吐出する単位面積当たりのインク印字量を決定し、決定した総印字量で着色インクの吐出を着色インク用記録ヘッド５〜８に行わせるとともに決定した印字量で透明インクの吐出を透明インク用記録ヘッド９に行わせる。
一方、制御装置１５は、第１モードを選択した場合には、第１の実施の形態における第１モードと同様に制御を行う。
【００９６】
本実施形態においても、第１の実施の形態と同様に、面内で均一の光沢感を持った画像を記録媒体９９に記録することができる。
また、記録媒体９９の光沢度が所定値以上である場合においては、最大印字量の設定値に基づき、図５のグラフの関係を決定しているので、単位面積当たりの着色インクの最大印字量が変化した場合でも、面内で均一の光沢感を持った画像を記録媒体に記録することができる。
【００９７】
〔第７の実施の形態〕
第7の実施の形態におけるインクジェット記録装置について説明する。第７の実施の形態のインクジェット記録装置において、第１の実施の形態のインクジェット記録装置１の何れかの部分に対応する部分に対して同一の符号を付し、同一の部分についての説明は省略する。また、以下の説明においても、同一符号を用いて第７の実施の形態のインクジェット記録装置について説明する。
【００９８】
第７の実施の形態におけるインクジェット記録装置も、第１の実施の形態におけるインクジェット記録装置１と同様に、プラテン２と、ガイド部材３と、キャリッジ４と、記録ヘッド５〜９と、紫外線照射装置１０，１１と、光沢度計１３と、搬送装置１４と、制御装置１５と、を備える。
【００９９】
第７の実施の形態では、制御装置１５は、第２モードを選択してから図５のグラフのような関係（式（２）のような関係）を用いる場合に、図５のグラフのような関係を単位面積当たりの着色インクの最大総印字量の設定値に基づき決定する。すなわち、第７の実施の形態では、α3が単位面積当たりの着色インクの最大総印字量γの変数としてＲＯＭに格納されており、β3が単位面積当たりの着色インクの最大総印字量γの変数としてＲＯＭに格納されている。具体的には、最大総印字量γが増加するにつれてα3が増加する関係がＲＯＭに格納されており、最大総印字量γが増加するにつれてβ3が減少する関係がＲＯＭに格納されており、α2、β2は定数としてＲＯＭに格納されている。これに伴い、境界条件も最大総印字量γに依存する。すなわち、α2及びβ2が一定であり、最大総印字量γが増加するにつれてα3が増加し、最大総印字量γが増加するにつれてβ3が減少するから、最大総印字量γが増加するにつれて第３閾値Ａ3も増加する。また、最大総印字量γの値に係わらず第１閾値Ａ1及び第２閾値Ａ2は一定である。このような、α3とβ3と最大総印字量γの関係によって総印字量Ａと印字量Ｂとの関係をグラフで表すと、図１１のようになる。図１１において、横軸は、単位面積当たりのＹＭＣＫの着色インクの総印字量Ａを表し、縦軸は、単位面積当たりの透明インクの印字量Ｂを表している。
【０１００】
図１１に示すように、総印字量Ａと印字量Ｂとの関係を表す線は、最大総印字量γが増加するにつれて実線で表すような折れ線に漸近していき、最大総印字量γが減少するにつれて点線で表すような折れ線に漸近していく。
【０１０１】
第７の実施の形態のインクジェット記録装置の動作について説明する。
制御装置１５がキャリッジ４を制御すると、キャリッジ４が走査方向ｘに沿って移動し、キャリッジ４の移動中に記録媒体９９の光沢度が光沢度計１３により測定され、制御装置１５は測定された光沢度の測定値を光沢度計１３から入力する。光沢度計１３から入力した光沢度の測定値が所定値未満の場合には、制御装置１５は第１モードを選択し、光沢度計１３から入力した光沢度の測定値がその所定値以上の場合には、制御装置１５は第２モードを選択する。
【０１０２】
そして、制御装置１５は、第２モードを選択した場合には、単位面積当たりの着色インクの最大総印字量の設定値に基づき、総印字量Ａと印字量Ｂとの関係を決定する。具体的には、制御装置１５は、ＲＯＭに格納された最大印字量γとα3との関係の最大印字量γに対して、単位面積当たりの着色インクの最大総印字量の設定値を代入して、α3の値を求め、ＲＯＭに格納された最大印字量γとβ3との関係の最大印字量γに対して、単位面積当たりの着色インクの最大総印字量の設定値を代入して、β3の値を求める。そして、制御装置１５は、ＲＯＭに格納された一定のα2及びβ2と求めたα3及びβ3の値とから総印字量Ａと印字量Ｂとの関係（式（２））を決定する。そして、制御装置１５が紫外線照射装置１０，１１を点灯し更に搬送装置１４を制御すると、搬送装置１４が記録媒体９９の搬送と停止とを繰り返して記録媒体９９を間欠的に搬送する。記録媒体９９の搬送中に制御装置１５がキャリッジ４を制御すると、キャリッジ４が記録媒体９９の停止中に走査方向ｘに往復移動し、更にキャリッジ４の往動中に制御装置１５が入力階調値に基づいて記録ヘッド５〜９を制御すると、記録ヘッド５〜９が吐出口から記録媒体９９に向けてインクを液滴として適宜吐出する。記録媒体９９に着弾したインクが紫外線照射装置１０，１１から発した紫外線を受けて硬化する。これらの工程を繰り返すことにより、記録媒体９９上に画像が記録されていく。記録媒体９９に画像が記録されている時に、制御装置１５は、外部から入力された画像データに従って着色インク用記録ヘッド５〜８により吐出する単位面積当たりの着色インクの総印字量を決定した後に、決定した総印字量Ａと印字量Ｂとの関係に従って、決定した着色インクの総印字量から透明インク用記録ヘッド９により吐出する単位面積当たりのインク印字量を決定し、決定した総印字量で着色インクの吐出を着色インク用記録ヘッド５〜８に行わせるとともに決定した印字量で透明インクの吐出を透明インク用記録ヘッド９に行わせる。
一方、制御装置１５は、第１モードを選択した場合には、第１の実施の形態における第１モードと同様に制御を行う。
【０１０３】
本実施形態においても、第１の実施の形態と同様に、面内で均一の光沢感を持った画像を記録媒体９９に記録することができる。
また、記録媒体９９の光沢度が所定値以上である場合においては、最大印字量の設定値に基づき、図５のグラフの関係を決定しているので、単位面積当たりの着色インクの最大印字量が変化した場合でも、面内で均一の光沢感を持った画像を記録媒体に記録することができる。
【０１０４】
〔変形例〕
なお、本発明は、上記各実施の形態に限定されることなく、本発明の趣旨を逸脱しない範囲において、種々の改良並びに設計の変更を行っても良い。
上述した各実施の形態においては、本発明のインクジェット記録装置をシリアル型のインクジェット記録装置に適用した例示について説明したが、本発明のインクジェット記録装置をラインヘッド型のインクジェット記録装置に適用しても良い。
【０１０５】
図１２は、本発明を適用したラインヘッド型のインクジェット記録装置１０１である。
このインクジェット記録装置１０１は、平板状に設けられたプラテン１０２と、プラテン１０２の上方においてプラテン１０２に対して平行に設けられたガイド部材１０３と、ガイド部材１０３の延在方向に対して直交する搬送方向ｙに記録媒体９９を搬送する搬送装置と、ガイド部材１０３に支持されているとともにガイド部材１０３に沿って移動可能に設けられた光沢度計１１３と、記録媒体９９の搬送方向ｙに対して直交する方向つまり記録媒体９９の幅方向に延在するようにプラテン１０２上に配設されたライン型記録ヘッド１０５〜１０９と、ライン型記録ヘッド１０８の搬送方向ｙの下流側に配置された紫外線照射装置１１０と、ライン型記録ヘッド１０９の搬送方向ｙの下流側に配置された紫外線照射装置１１１と、を備える。
【０１０６】
記録ヘッド１０５〜１０９は、搬送方向ｙに沿って記録ヘッド１０５、記録ヘッド１０６、記録ヘッド１０７、記録ヘッド１０８、記録ヘッド１０９の順に配列されている。記録ヘッド１０５〜１０９は、紫外線により硬化するインクを液滴として吐出するように設けられている。記録ヘッド１０５は、イエロー（Ｙ）のインクを吐出するものであり、記録ヘッド６は、マゼンタ（Ｍ）の着色剤を含有したインクを吐出する着色インク用記録ヘッドであり、記録ヘッド１０７は、シアン（Ｃ）の着色剤を含有したインクを吐出する着色インク用記録ヘッドであり、記録ヘッド８は、ブラック（Ｋ）の着色剤を含有したインクを吐出する着色インク用記録ヘッドであり、記録ヘッド１０９は、着色剤を含有しない透明インクを吐出する透明インク用記録ヘッドである。
【０１０７】
紫外線照射装置１１０，１１１は、紫外線波長域を含む光を下方の記録媒体９９に照射するものである。紫外線照射装置１１０，１１１は、記録媒体９９の搬送方向ｙに直交する方向（つまり、記録ヘッド１０５の長手方向に平行な方向）に延在している。
【０１０８】
光沢度計１１３は、上記各実施形態の光沢度計１３と同様に、ＪＩＳ  Ｚ８７４１に従って記録媒体９９の光沢度を測定するものである。
【０１０９】
このインクジェット記録装置１０１は、更に、第１〜第７の何れかの実施形態における制御装置１５と同様の制御を行う制御装置を具備する。すなわち、制御装置は、光沢度計１１３により測定された記録媒体９９の光沢度に基づき第１モードか又は第２モードを選択する。そして、第１モードとして選択した場合には、制御装置が、外部から入力された画像データに従って着色インク用記録ヘッド１０５〜１０８により吐出する単位面積当たりの着色インクの総印字量を決定した後に、ＲＯＭから図４のグラフのような総印字量Ａと印字量Ｂとの関係を読み出し、決定した着色インクの総印字量からその関係に従って透明インク用記録ヘッド１０９により吐出する単位面積当たりの透明インクの印字量を決定し、決定した総印字量で着色インクの吐出を着色インク用記録ヘッド１０５〜１０８に行わせるとともに決定した印字量で透明インクの吐出を透明インク用記録ヘッド１０９に行わせる。一方、第２モードとして選択した場合には、この制御装置が、外部から入力された画像データに従って着色インク用記録ヘッド１０５〜１０８により吐出する単位面積当たりの着色インクの総印字量を決定した後に、ＲＯＭから図５のグラフのような総印字量Ａと総印字量Ｂとの関係を読み出し、決定した着色インクの総印字量からその関係に従って透明インク用記録ヘッド１０９により吐出する単位面積当たりの透明インクの印字量を決定し、決定した総印字量で着色インクの吐出を着色インク用記録ヘッド１０５〜１０８に行わせるとともに決定した印字量で透明インクの吐出を透明インク用記録ヘッド１０９に行わせる。
【０１１０】
ここで、インクジェット記録装置１０１の制御装置が、第２の実施の形態における制御装置１５と同様に、第１モードを選択してから図４のグラフのような関係を用いる場合に、図４のグラフのような関係を光沢度計１１３により測定された光沢度の測定値に基づき決定しても良い。
また、インクジェット記録装置１０１の制御装置が、第３の実施の形態における制御装置１５と同様に、制御装置１５は、第１モードを選択してから図４のグラフのような関係を用いる場合に、単位面積当たりの着色インクの最大総印字量の設定値に基づいて図４のグラフのような関係を決定しても良い。
また、インクジェット記録装置１０１の制御装置が、第４又は第５の実施の形態における制御装置１５と同様に、第２モードを選択してから図５のグラフのような関係を用いる場合に、図５のグラフのような関係を光沢度計１３により測定された光沢度の測定値に基づき決定しても良い。
また、インクジェット記録装置１０１の制御装置が、第６又は第７の実施の形態における制御装置１５と同様に、第２モードを選択してから図５のグラフのような関係を用いる場合に、図５のグラフのような関係を単位面積当たりの着色インクの最大総印字量の設定値に基づき決定しても良い。
【０１１１】
なお、第１〜第７の実施形態では、制御装置１５が記録媒体９９の間欠的に搬送するように搬送装置１４を制御しているが、インクジェット記録装置１０１では、制御装置が記録媒体９９を連続的に（停止させずに）搬送するように搬送装置を制御する。また、インクジェット記録装置１０１では、制御装置の制御により光沢度計１１３がガイド部材１０３に沿って移動するようになっている。また、インクジェット記録装置１０１では、制御装置が第１〜第７の実施の形態のようにキャリッジ１１４を移動させる制御を行わない。
【図面の簡単な説明】
【０１１２】
【図１】インクジェット記録装置１の正面図である。
【図２】インクジェット記録装置１の平面図である。
【図３】インクジェット記録装置１の制御回路のブロック図である。
【図４】総印字量Ａと印字量Ｂとの関係を示したグラフである。
【図５】総印字量Ａと印字量Ｂとの関係を示したグラフである。
【図６】総印字量Ａと印字量Ｂとの関係を示したグラフである。
【図７】総印字量Ａと印字量Ｂとの関係を示したグラフである。
【図８】総印字量Ａと印字量Ｂとの関係を示したグラフである。
【図９】総印字量Ａと印字量Ｂとの関係を示したグラフである。
【図１０】総印字量Ａと印字量Ｂとの関係を示したグラフである。
【図１１】総印字量Ａと印字量Ｂとの関係を示したグラフである。
【図１２】インクジェット記録装置１０１の平面図である。
【符号の説明】
【０１１３】
１  インクジェット記録装置
５、６、７、８  記録ヘッド（着色インク用記録ヘッド）
９  記録ヘッド（透明インク用記録ヘッド）
１３  光沢度計
１５  制御装置
１０１  インクジェット記録装置
１０５、１０６、１０７、１０８  記録ヘッド（着色インク用記録ヘッド）
１０９  記録ヘッド（透明インク用記録ヘッド）
１１３  光沢度計
【図１】
2005199602.tif 000003
【図２】
2005199602.tif 000004
【図３】
2005199602.tif 000005
【図４】
2005199602.tif 000006
【図５】
2005199602.tif 000007
【図６】
2005199602.tif 000008
【図７】
2005199602.tif 000009
【図８】
2005199602.tif 000010
【図９】
2005199602.tif 000011
【図１０】
2005199602.tif 000012
【図１１】
2005199602.tif 000013
【図１２】
2005199602.tif 000014